(57)【要約】【課題】ラッチ式電磁弁のラッチが振動等により外れた場合に、カニューラからの酸素吐出が継続される。【解決手段】本発明の呼吸同調器は、酸素供給部に接続された酸素供給ポートと、カニューラに接続された酸素排出ポートと、圧力センサが接続された圧力検出ポートとを有する電磁弁と、圧力センサからの信号に基づいて電磁弁を制御する制御手段と備え、電磁弁は、酸素供給ポートと酸素排出ポートとが連通した酸素供給状態と、酸素排出ポートと圧力検出ポートとが連通した酸素非供給状態とを切り換える弁体と、弁体を駆動するコイルとを有し、制御手段は、酸素非供給状態に切り換えるための電流がコイルに流れた後、酸素供給状態に切り換えるための電流が上記コイルに流れてない場合において、圧力センサからの信号を所定時間検知しなかったときに酸素非供給状態に切り換えるための電流がコイルに流れるように、電磁弁を制御する。【選択図】図８
2018102636.tif 000002
【特許請求の範囲】
【請求項１】
酸素供給部に接続された酸素供給ポートと、カニューラに接続された酸素排出ポートと、圧力センサが接続された圧力検出ポートとを有する電磁弁と、
上記圧力センサからの信号に基づいて上記電磁弁を制御する制御手段と備え、
上記電磁弁は、
上記酸素供給ポートと上記酸素排出ポートとが連通した酸素供給状態と、上記酸素排出ポートと上記圧力検出ポートとが連通した酸素非供給状態とを切り換える弁体と、
上記弁体を駆動するコイルとを有し、
上記弁体は、
酸素非供給状態であるときに酸素供給状態に切り換えるための電流が上記コイルに流れた場合に、酸素供給状態に切り換わり、当該電流が流れなくなった後、酸素供給状態に維持されると共に、
酸素供給状態であるときに酸素非供給状態に切り換えるための電流が上記コイルに流れた場合に、酸素非供給状態に切り換わり、当該電流が流れなくなった後、酸素非供給状態に維持されるように構成され、
上記制御手段は、酸素非供給状態に切り換えるための電流が上記コイルに流れた後、酸素供給状態に切り換えるための電流が上記コイルに流れてない場合において、上記圧力センサからの信号を所定時間検知しなかったときに酸素非供給状態に切り換えるための電流が上記コイルに流れるように、上記電磁弁を制御することを特徴とする呼吸同調器。
【請求項２】
上記制御手段は、呼吸同調器の電源がオン状態に切り換えられたときに酸素非供給状態に切り換えるための電流が上記コイルに流れるように、上記電磁弁を制御することを特徴とする請求項１に記載の呼吸同調器。
【発明の詳細な説明】
【技術分野】
【０００１】
本発明は、主として在宅の肺疾患等の患者に呼吸に同調し、カニューラ等を介して酸素を供給する呼吸同調器に関する。
【背景技術】
【０００２】
従来、患者に酸素を供給する呼吸同調器では、呼吸に合わせて電磁弁を制御することにより、酸素がカニューラに供給される酸素供給状態（酸素タンクとカニューラとを接続した状態）と、酸素がカニューラに供給されない酸素非供給状態（圧力センサとカニューラとを接続した状態）とを切り換えている（特許文献１参照）。したがって、カニューラと酸素ボンベとが接続された酸素供給状態で患者に酸素が供給され、カニューラと圧力センサとが接続された酸素非供給状態で圧力センサが患者の呼吸が検知される。
【先行技術文献】
【特許文献】
【０００３】
【特許文献１】特開２００６−００６５２１公報
【発明の概要】
【発明が解決しようとする課題】
【０００４】
呼吸同調器には、ラッチ式電磁弁（酸素供給状態と酸素非供給状態とを切り換えるときにコイルに電流が流れ、その後、電流が流れなくなった後、切り換えられた状態に維持される電磁弁）を使用し、酸素がカニューラに供給される酸素供給状態と、酸素がカニューラに供給されない酸素非供給状態とを切り換えるものがある。この場合において、ラッチが振動等により外れた場合、酸素がカニューラに供給される酸素供給状態に切り換えられてないにもかかわらず、ラッチが外れた酸素供給状態に維持されることから、カニューラからの酸素吐出が継続されてしまう問題がある。
【０００５】
そこで、この発明は上記のような課題を解決するためになされたもので、ラッチ式電磁弁のラッチが振動等により外れた場合に、カニューラからの酸素吐出が継続されるのを抑制できる呼吸同調器を提供することを目的とする。
【課題を解決するための手段】
【０００６】
第１の発明に係る呼吸同調器は、酸素供給部に接続された酸素供給ポートと、カニューラに接続された酸素排出ポートと、圧力センサが接続された圧力検出ポートとを有する電磁弁と、上記圧力センサからの信号に基づいて上記電磁弁を制御する制御手段と備え、上記電磁弁は、上記酸素供給ポートと上記酸素排出ポートとが連通した酸素供給状態と、上記酸素排出ポートと上記圧力検出ポートとが連通した酸素非供給状態とを切り換える弁体と、上記弁体を駆動するコイルとを有し、上記弁体は、酸素非供給状態であるときに酸素供給状態に切り換えるための電流が上記コイルに流れた場合に、酸素供給状態に切り換わり、当該電流が流れなくなった後、酸素供給状態に維持されると共に、酸素供給状態であるときに酸素非供給状態に切り換えるための電流が上記コイルに流れた場合に、酸素非供給状態に切り換わり、当該電流が流れなくなった後、酸素非供給状態に維持されるように構成され、上記制御手段は、酸素非供給状態に切り換えるための電流が上記コイルに流れた後、酸素供給状態に切り換えるための電流が上記コイルに流れてない場合において、上記圧力センサからの信号を所定時間検知しなかったときに酸素非供給状態に切り換えるための電流が上記コイルに流れるように、上記電磁弁を制御することを特徴とする。
【０００７】
この呼吸同調器では、酸素供給状態に切り換える電流がコイルに流れてないにもかかわらず、呼吸が所定時間検知されなかった場合、弁体が振動等により移動し、酸素供給状態になっていると考えられる。したがって、本発明では、呼吸が検知されない状態において、酸素非供給状態に切り換える電流がコイルに流れるように電磁弁を制御することにより、上記制御手段により酸素の供給を開始してないにもかかわらず、カニューラからの酸素吐出が継続されるのを抑制できる。
【０００８】
第２の発明に係る呼吸同調器は、第１の発明において、上記制御手段は、呼吸同調器の電源がオン状態に切り換えられたときに酸素非供給状態に切り換えるための電流が上記コイルに流れるように、上記電磁弁を制御することを特徴とする。
【０００９】
この呼吸同調器では、電源がオン状態になったときに酸素非供給状態に切り換える電流がコイルに流れるように電磁弁を制御することにより、上記制御手段により酸素の供給を開始してないにもかかわらず、カニューラからの酸素吐出が継続されるのを抑制できる。
【発明の効果】
【００１０】
第１の発明では、酸素供給状態に切り換える電流がコイルに流れてないにもかかわらず、呼吸が所定時間検知されなかった場合、弁体が振動等により移動し、酸素供給状態になっていると考えられる。したがって、本発明では、呼吸が検知されない状態において、酸素非供給状態に切り換える電流がコイルに流れるように電磁弁を制御することにより、上記制御手段により酸素の供給を開始してないにもかかわらず、カニューラからの酸素吐出が継続されるのを抑制できる。
【００１１】
第２の発明では、電源がオン状態になったときに酸素非供給状態に切り換える電流がコイルに流れるように電磁弁を制御することにより、上記制御手段により酸素の供給を開始してないにもかかわらず、カニューラからの酸素吐出が継続されるのを抑制できる。
【図面の簡単な説明】
【００１２】
【図１】本発明の実施形態に係る呼吸同調器を示す回路図である。
【図２】酸素供給状態にある電磁弁を示す断面図である。
【図３】酸素供給状態でコイルに電流を流したときの電磁弁を示す断面図である。
【図４】磁力により可動鉄心が固定鉄心に向かって移動する状態を示す断面図である。
【図５】酸素非供給状態にある電磁弁を示す断面図である。
【図６】酸素非供給状態でコイルに電流を流したときの電磁弁を示す断面図である。
【図７】バネの付勢力により可動鉄心が固定鉄心から離れる方向に向かって移動する状態を示す断面図である。
【図８】図１の呼吸同調器の制御を説明したフローチャートである。
【発明を実施するための形態】
【００１３】
以下、本発明の実施形態を添付図面に従って説明する。
【００１４】
図１は、本発明の実施形態に係る呼吸同調器１０の回路図である。この呼吸同調器１０は、例えば肺疾患患者の在宅治療などに用いられ、酸素供給部である酸素ボンベ１１と、酸素ボンベ１１から供給された酸素を患者まで案内するカニューラ３０と、後述する電磁弁４０を内蔵する筐体１５とを備えている。
【００１５】
筐体１５は、酸素ボンベ１１から供給された酸素を筐体１５内に取り入れる酸素取入口１６と、酸素をカニューラ３０に吐出する酸素取出口１７とを有する。酸素ボンベ１１と酸素取入口１６とを接続する第１流路２１には、酸素ボンベ１１からの酸素の圧力を低減する減圧弁１２と、酸素の流量を調整する流量調整弁１３とが設けられている。
【００１６】
筐体１５は、患者の呼吸を検知する圧力センサ３３と、カニューラ３０を酸素ボンベ１１または圧力センサ３３に切り換えて接続する電磁弁４０と、電磁弁４０を切り換える制御部３４と、電磁弁４０の故障時などに使用されるメカニカルバルブ１８とを有する。メカニカルバルブ１８は、電磁弁４０が故障などにより使用出来なくなったときに、オフからオンに切り換えて酸素ボンベ１１からの酸素を患者に供給する。
【００１７】
酸素取入口１６と酸素取出口１７とは、筐体１５の内部に配設された酸素供給流路によって接続されている。酸素供給流路は、酸素取入口１６を介して第１流路２１に接続された第２流路２２と、電磁弁４０が配置された第３流路２３と、メカニカルバルブ１８が配置された第４流路２４と、第３流路２３と第４流路２４とが合流して酸素取出口１７に接続された第５流路２５とから構成されている。
【００１８】
第２流路２２は、酸素供給流路の上流側に配置されている。第３流路２３と第４流路２４とは、第２流路２２から分岐して並列に接続されている。第４流路２４のメカニカルバルブ１８より下流には、流量を調整する絞り１９が配置されている。第５流路２５は酸素供給流路の下流側に配置され、酸素取出口１７を介して、カニューラ３０に連結された第６流路２６に接続されている。また、流路内が高圧となったときに酸素を放出するリリーフ弁３１が、第５流路２５に分岐して接続されている。
【００１９】
電磁弁４０は、酸素ボンベ１１とカニューラ３０とを結ぶ流路のうち第３流路２３に設けられている。電磁弁４０と圧力センサ３３とは第７流路２７によって接続され、この第７流路２７に、酸素を放出する放出部３６が設けられている。放出部３６は、第７流路２７から分岐した第８流路２８と、第８流路２８の途中に設けられたオリフィス３５とから構成されている。第８流路２８の先端には、外部に連通して酸素を放出すると共に大気圧が導入される大気連通口３７が形成されている。オリフィス３５は、第７流路２７内の流量を調整する。
【００２０】
電磁弁４０には、電磁弁４０の切り換え制御を行う制御部３４が電気的に接続されている。電磁弁４０が酸素供給状態にあるとき、すなわちカニューラ３０と酸素ボンベ１１とが連通し、カニューラ３０と圧力センサ３３との連通が遮断されているとき（後述する圧力検出ポート６５が閉じられているとき）、制御部３４は圧力センサ３３を校正する。具体的には制御部３４は、放出部３６の大気連通口３７から導入された大気圧を圧力センサ３３が検知したときに圧力センサ３３の出力を零にすることで、圧力センサ３３を校正する。このように、制御部３４は圧力センサ３３の校正手段としても機能する。
【００２１】
図２に示す様に電磁弁４０は、軸部４１を有する駆動部４２と、軸部４１を介して駆動部４２に連結され、駆動部４２に駆動される切換え部６０とを備えている。
【００２２】
駆動部４２は、軸部４１を介して切換え部６０の弁体６８を移動させる。駆動部４２は、ケーシング４３と、ケーシング４３に収容された磁石４４と可動鉄心４５と固定鉄心５０とコイル５４とを有する。
【００２３】
ケーシング４３は、両端が閉蓋した円筒形状である。磁石４４は、ケーシング４３内の切換え部６０と反対側に固定された環状の永久磁石である。磁石４４の内周側がＮ極に磁化され、外周側がＳ極に磁化されている。
【００２４】
可動鉄心４５は、ケーシング４３の軸方向に延びる金属製の円柱形状であり、切換え部６０側の先端部４６が円錐台形状に形成されている。可動鉄心４５の先端部４６には、軸方向に延びる支持穴４７が形成されており、この支持穴４７に軸部４１とバネ４８とが支持されている。また可動鉄心４５は、ケーシング４３の軸方向に移動可能であり、可動鉄心４５の一部が磁石４４の内側に挿通されている。これにより、可動鉄心４５の磁石４４側がＳ極に磁化され、固定鉄心５０側（先端部４６側）がＮ極に磁化されている。
【００２５】
軸部４１は、ケーシング４３の軸方向に延び、一端部が可動鉄心４５に固定され、他端部が切換え部６０の弁体６８に連結されている。軸部４１は、可動鉄心４５と共に軸方向に移動することで、可動鉄心４５と弁体６８とを一体的に移動させる。バネ４８は可動鉄心４５と固定鉄心５０との間に配置され、可動鉄心４５と固定鉄心５０とを離隔する方向に付勢している。
【００２６】
固定鉄心５０は、可動鉄心４５と切換え部６０との間に配置され、ケーシング４３の内部に固定されている。固定鉄心５０の可動鉄心４５側には、可動鉄心４５の先端部４６の形状と一致する凹部５１が形成されている。
【００２７】
コイル５４はケーシング４３の内部に固定され、磁石４４と固定鉄心５０との間で可動鉄心４５の外周側に巻回されている。コイル５４の一端は第１電線５５に接続され、他端は第２電線５６に接続されている。これら第１電線５５および第２電線５６に電流を流すことで、コイル５４に通電されて磁場が発生し、可動鉄心４５と弁体６８とを駆動する。
【００２８】
切換え部６０は、中空の本体６１と、本体６１の内部に移動可能に配置された弁体６８とを有する。
【００２９】
本体６１は、両端が閉蓋された円筒形状の筒部６２を有し、筒部６２には厚さ方向に貫通する酸素供給ポート６３と酸素排出ポート６４と圧力検出ポート６５とが設けられている。酸素供給ポート６３と酸素排出ポート６４と圧力検出ポート６５とは、隣り合って設けられている。また、酸素供給ポート６３の開口面積と酸素排出ポート６４の開口面積と圧力検出ポート６５の開口面積とは等しい。
【００３０】
酸素供給ポート６３は、筒部６２の一方側（図２中、右側）に形成され、酸素ボンベ１１に連通する第３流路２３が接続されている。酸素排出ポート６４は、酸素供給ポート６３と圧力検出ポート６５との間に形成され、カニューラ３０に連通する第５流路２５に接続されている。圧力検出ポート６５は、酸素供給ポート６３と離れて酸素供給ポート６３の反対側（図２中、左側）に形成され、圧力センサ３３に連通する第７流路２７に接続されている。
【００３１】
弁体６８は、酸素排出ポート６４と酸素供給ポート６３とが連通した酸素供給状態と、酸素排出ポート６４と圧力検出ポート６５とが連通した酸素非供給状態とを切り換える。弁体６８は、筒部６２の内周面の形状と一致する円板形状であり、駆動部４２側の面の中心部が軸部４１に連結されている。弁体６８は、軸部４１を介して可動鉄心４５と一体的に移動する。弁体６８は、酸素供給状態と酸素非供給状態とを切り換えるときに、筒部６２の内周面に摺接しつつ筒部６２の内周面に沿って移動する。弁体６８は、酸素非供給状態であるときに酸素供給状態に切り換えるための電流がコイル５４に流れた場合に、酸素供給状態に切り換わり、電流が流れなくなった後、酸素供給状態に維持されると共に、酸素供給状態であるときに酸素非供給状態に切り換えるための電流がコイル５４に流れた場合に、酸素非供給状態に切り換わり、電流が流れなくなった後、酸素非供給状態に維持される。
【００３２】
次に、本発明に係る電磁弁４０の動作について説明する。
【００３３】
電磁弁４０のコイル５４に電流を流さず、かつ電磁弁４０が酸素供給状態にあるとき、図２に示す様に駆動部４２では、可動鉄心４５がケーシング４３の底面４３ａと当接し、固定鉄心５０と所定の間隔を隔てて配置されている。このとき、可動鉄心４５の先端部４６側が磁石４４によってＮ極に磁化され、固定鉄心５０はＳ極に磁化されている。これらの磁性により、可動鉄心４５と固定鉄心５０とが引き合う方向に磁力が生じる。しかし、この磁力よりバネ４８の付勢力が勝るため、可動鉄心４５と固定鉄心５０とは離隔した状態に維持されている。同じく酸素供給状態にあるとき、切換え部６０の弁体６８は、酸素排出ポート６４と圧力検出ポート６５との間に位置し、圧力検出ポート６５を閉蓋して酸素排出ポート６４と酸素供給ポート６３とを連通している。これにより、カニューラ３０と酸素ボンベ１１とが連通され、患者に酸素を供給できる。
【００３４】
酸素供給状態から酸素非供給状態に切り換えるため、電磁弁４０の第１電線５５にプラスの電流を流すと、コイル５４に通電され、図３に示す様にコイル５４の可動鉄心４５側がＮ極、コイル５４の固定鉄心５０側がＳ極に磁化される。これにより、可動鉄心４５の先端部４６近傍のＮ極が強くなると共に固定鉄心５０のＳ極が強くなる。従って、可動鉄心４５と固定鉄心５０との引き合う磁力がバネ４８の付勢力よりも強くなり、可動鉄心４５は固定鉄心５０に向かって移動を開始する。このとき、可動鉄心４５に従動して弁体６８も酸素排出ポート６４側に移動する。コイル５４に通電されてから所定時間経過後に、第１電線５５の電流を止める。可動鉄心４５が移動することで、可動鉄心４５と固定鉄心５０との距離が近くなり、可動鉄心４５と固定鉄心５０との引き合う磁力がより強くなる。従って、コイル５４に電流を流さなくても磁力により、可動鉄心４５が固定鉄心５０に向かって移動を続ける。
【００３５】
図４に示す様に可動鉄心４５が、酸素供給状態と、可動鉄心４５および固定鉄心５０が当接する位置（酸素非供給状態）との中間地点まで移動したとき、弁体６８は酸素排出ポート６４の上方、つまり酸素排出ポート６４を塞ぐ位置にある。
【００３６】
図５に示す様に、可動鉄心４５の先端部４６が固定鉄心５０の凹部５１に当接する位置まで可動鉄心４５が移動したとき、弁体６８が酸素非供給状態にある。酸素非供給状態にあるとき、可動鉄心４５と固定鉄心５０とは互いに引き合う磁力により、コイル５４に電流を流さなくても当接した状態が維持される。同じく酸素非供給状態にあるとき、弁体６８は、酸素排出ポート６４と酸素供給ポート６３との間に位置し、酸素供給ポート６３を閉蓋して酸素排出ポート６４と圧力検出ポート６５とを連通している。これにより、カニューラ３０と圧力センサ３３とが連通され、患者の呼吸を圧力センサ３３が検知できる。
【００３７】
酸素非供給状態から酸素供給状態に切り換えるため、電磁弁４０の第２電線５６にプラスの電流を流すと、コイル５４に通電され、図６に示す様にコイル５４の可動鉄心４５側がＳ極、コイル５４の固定鉄心５０側がＮ極に磁化される。これにより、可動鉄心４５の先端部４６近傍のＮ極が弱くなると共に固定鉄心５０のＳ極が弱くなる。従って、可動鉄心４５と固定鉄心５０との引き合う力がバネ４８の付勢力よりも弱くなり、可動鉄心４５が固定鉄心５０から離れる方向に向かって移動する。このとき、可動鉄心４５に従動して弁体６８も酸素排出ポート６４側に移動する。コイル５４に通電されてから所定時間経過後に第２電線５６の電流を止め、バネ４８の付勢力により可動鉄心４５が固定鉄心５０と反対側に向かって移動を続ける。
【００３８】
図７に示す様に可動鉄心４５が、酸素非供給状態と酸素供給状態との中間地点まで移動したとき、弁体６８は酸素排出ポート６４の上方、つまり酸素排出ポート６４を塞ぐ位置にある。
【００３９】
可動鉄心４５が底面４３ａに当接する位置まで移動したとき、弁体６８が、図２に示す酸素供給状態に戻る。酸素供給状態にあるとき、バネ４８の付勢力により、可動鉄心４５と固定鉄心５０とが離隔した状態に維持される。電磁弁４０は以上の動作により、酸素供給状態と酸素非供給状態とを切り換える。
【００４０】
本発明の呼吸同調器１０の制御について説明する。
【００４１】
本発明の呼吸同調器１０では、図１に示すように、呼吸同調器１０の制御部３４には、圧力センサ３３と、電源部１０ａと、電磁弁４０が接続されている。よって、酸素が患者に供給される場合、制御部３４は、圧力センサ３３で検出された呼吸に同調するように電磁弁４０を制御する。また、制御部３４は、電磁弁４０を酸素供給状態に切り換えてない場合に、圧力センサ３３により呼吸が所定時間検知されないときや、呼吸同調器１０の電源１０ａがオン状態になったときに、電磁弁４０を酸素非供給状態に切り換える制御を行う。このように、本発明の呼吸同調器１０において、電磁弁４０が酸素供給状態になっている場合としては、制御部３４により電磁弁４０が酸素供給状態に切り換えられた場合と、弁体６８が振動等により外れ酸素供給状態になった場合がある。したがって、本発明の呼吸同調器１０では、制御部３４により電磁弁４０を酸素供給状態に切り換えてないにもかかわらず、弁体６８が振動等により外れ、電磁弁４０が酸素供給状態になった場合を考慮した制御が行われる。
【００４２】
図８に示すように、呼吸同調器１０の電源１０ａがオン状態になったか否かが判断される（Ｓ１）。ステップＳ１において、呼吸同調器１０の電源１０ａがオン状態になったと判断された場合、電磁弁４０の切り換え制御（酸素非供給状態に切り換えるための電流を流す制御）が行われる（Ｓ２）。ステップＳ２において、電磁弁４０の切り換え制御が行われたときに、電磁弁４０が既に酸素非供給状態である場合、酸素非供給状態が維持され、酸素供給状態である場合、酸素非供給状態に切り換わる。呼吸同調器１０の電源１０ａがオン状態になったと判断されない場合、ステップＳ１が繰り返される。
【００４３】
その後、電磁弁４０が酸素非供給状態のときに、圧力センサ３３により吸気開始を検知したか否かが判断される（Ｓ３）。ステップＳ３において、圧力センサ３３により吸気開始を検知したと判断された場合、電磁弁４０の切り換え制御（酸素供給状態に切り換えるための電流を流す制御）が行われ、酸素供給状態となる（Ｓ４）。ステップＳ４において、電磁弁４０が酸素供給状態となり、酸素の供給が開始された後、酸素供給時間が経過したか否かが判断される（Ｓ５）。酸素供給時間は、圧力センサ３３により検知された呼吸に基づいて決められる。ステップＳ５において、酸素供給時間が経過したと判断された場合、電磁弁４０の切り換え制御（酸素非供給状態に切り換えるための電流を流す制御）が行われ、酸素非供給状態となり、酸素の供給がされない状態になる（Ｓ６）。その後、ステップＳ３を繰り返す。
【００４４】
ステップＳ３において、圧力センサ３３により吸気開始を検知したと判断されない場合、呼吸が検知されない状態において、所定時間が経過したか否かが判断される（Ｓ７）。ステップＳ７において、所定時間が経過したと判断された場合、電磁弁４０の切り換え制御（酸素非供給状態に切り換えるための電流を流す制御）が行われる（Ｓ８）。ステップＳ８において、電磁弁４０の切り換え制御が行われたときに、電磁弁４０が既に酸素非供給状態である場合、酸素非供給状態が維持され、酸素供給状態である場合、酸素非供給状態に切り換わる。その後、ステップＳ３を繰り返す。
【００４５】
[本実施形態の呼吸同調器の特徴]
本実施形態の呼吸同調器１０には以下の特徴がある。
【００４６】
本実施形態の呼吸同調器１０では、酸素供給状態に切り換える電流がコイル５４に流れてないにもかかわらず、呼吸が所定時間検知されなかった場合、弁体６８が振動等により移動し、酸素非供給状態になっていると考えられる。したがって、本発明では、呼吸が検知されない状態において、酸素非供給状態に切り換える電流がコイル５４に流れるように電磁弁４０を制御することにより、制御部３４により酸素の供給を開始してないにもかかわらず、カニューラ３０からの酸素吐出が継続されるのを抑制できる。
【００４７】
本実施形態の呼吸同調器１０では、電源１０ａがオン状態になったときに酸素非供給状態に切り換える電流がコイル５４に流れるように電磁弁４０を制御することにより、制御部３４により酸素の供給を開始してないにもかかわらず、カニューラ３０からの酸素吐出が継続されるのを抑制できる。
【００４８】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４９】
上述の実施形態では、呼吸同調器１０の電源１０ａがオン状態になったときに酸素非供給状態に切り換える電流がコイル５４に流れるように電磁弁４０を制御する場合を説明したが、呼吸同調器１０の電源１０ａがオン状態になったときに酸素非供給状態に切り換える電流がコイル５４に流れるように電磁弁４０を制御されないものであってよい。
【００５０】
上述の実施形態において、酸素供給部として酸素ボンベが使用される場合を説明したが、酸素供給部は、酸素濃縮装置等であってよい。上述の実施形態において電磁弁は他の構成であってよい。
【符号の説明】
【００５１】
１０  呼吸同調器
１１  酸素ボンベ（酸素供給部）
３０  カニューラ
３３  圧力センサ
３４  制御部（制御手段）
４０  電磁弁
５４  コイル
６３  酸素供給ポート
６４  酸素排出ポート
６５  圧力検出ポート
６８  弁体  
【図１】
2018102636.tif 000003
【図２】
2018102636.tif 000004
【図３】
2018102636.tif 000005
【図４】
2018102636.tif 000006
【図５】
2018102636.tif 000007
【図６】
2018102636.tif 000008
【図７】
2018102636.tif 000009
【図８】
2018102636.tif 000010